(57)【要約】【課題】蓋部材の開閉による容器本体内の内圧の上昇を抑制すること。【解決手段】シリンジは、粘性材料を収容し押出しするためのシリンダ状の容器本体４を備え、容器本体４の吐出開口１４ａを閉塞する蓋部材３が天面壁２０と天面壁２０の周囲から下方に延びる周壁２１とを備えている。また、蓋部材３が装着される容器本体４への装着部８には、容器本体４を縮径する段差面８ａと蓋部材３の内周面が嵌合する装着面８ｂとを形成し、蓋部材３の閉塞時には蓋部材３の周壁２１の下端面２１ｂが前記段差面８ａと当接する。そして、蓋部材３の内周面が装着面８ｂに接触する当接面２１ａに、周壁２１の下端面２１ｂ側から蓋部材３の軸方向へ向かって、天面壁２０へ延びる抜き溝２２を形成している。【選択図】図３
2010162111.tif 000002
【特許請求の範囲】
【請求項１】
粘性材料を収容し押出しするためのシリンダ状の容器本体を備え、該容器本体の先端開口部を閉塞する蓋部材が天面壁と該天面壁の周囲から下方に延びる周壁とを備え、
前記蓋部材が装着される容器本体への装着部には、該容器本体を縮径する段差面と前記蓋部材の内周面が嵌合する装着面とを形成し、前記蓋部材の閉塞時には該蓋部材の周壁の下端面が前記段差面と当接する歯科材料用シリンジにおいて、
前記蓋部材の内周面が前記装着面に接触する当接部に、前記周壁の下端面側から蓋部材の軸方向へ向かって、天面壁側へ延びる溝を形成したことを特徴とする歯科材料用シリンジ。
【請求項２】
前記内周面に形成した前記溝から該内周面の周方向へ間隔を空けて１以上の溝を形成したことを特徴とする請求項１記載の歯科材料用シリンジ。
【請求項３】
粘性材料を収容し押出しするためのシリンダ状の容器本体を備え、該容器本体の先端開口部を閉塞する蓋部材が天面壁と該天面壁の周囲から下方に延びる周壁とを備え、
前記蓋部材が装着される容器本体への装着部には、該容器本体を縮径する段差面と前記蓋部材の内周面が嵌合する装着面とを形成し、前記蓋部材の閉塞時には該蓋部材の周壁の下端面が前記段差面と当接する歯科材料用シリンジにおいて、
前記蓋部材の内周面が接触する前記装着面の部分に、前記段差面側の一端部から前記容器本体の軸方向へ向かって、前記装着面の他端側端部まで延びる溝を形成したことを特徴とする歯科材料用シリンジ。
【請求項４】
前記装着面に形成した前記溝から該装着面の周方向へ間隔を空けて１以上の溝を形成したことを特徴とする請求項３に記載の歯科材料用シリンジ。
【発明の詳細な説明】
【技術分野】
【０００１】
本発明は、粘性材料を収容し押出しするためのシリンダ状の容器と該容器の先端開口部を閉塞する蓋部材とを備えた歯科材料用シリンジに関する。
【背景技術】
【０００２】
歯科材料を収容するための容器として、様々な種類がある。
図７のＡ及びＢは、従来の歯科材料を収容するシリンジを示す。
シリンジ５１は、容器５２と蓋部材５３とからなり、容器５２は、容器本体５４、押出ネジ５５、ナット５６及び押出部材５７とから構成されている。容器本体５４の基端側（図面左側）には、ナット５６が取付けられ、ナット５６には、押出ネジ５５が螺着し押出ネジ５５の先端側には、押出部材５７が取付けられている。容器本体５４の内部には、歯科材料が収容されている。容器本体５４の先端側には開口５９が設けられ、開口５９部には、蓋部材５３が着脱可能に設けられている。蓋部材５３の内周面と容器本体５４の先端外周面はほぼ同径であって、蓋部材５３は容器本体５４の外周面を摺動するようにして開閉がなされる。
【０００３】
歯科材料が収容されたこのようなシリンジ５１は、歯科医師や歯科技工士によって用いられ、使用するときは、蓋部材５３を容器本体５４から取り外し、材料の取出し具によって、歯科材料が取り出される。頻繁に使用されることによって、開口５９部近傍に歯科材料がある程度減少すると、押出ネジ５５を回転させて、先端側へ押出部材５７を前進させて、歯科材料を容器本体５４の先端側へ押出して、その取出しを容易にしている。
下記の特許文献１には、容器内の歯科材料を押出棒（ネジ部材）によって押出して用いるシリンジが開示されている。
特許文献２には、蓋部材に、所定のリード角を螺旋方向に有する複数の雌側螺状突部を形成し、容器の先端開口部の外周面には、雌側螺状突部と係合し、該雌側螺状突部とは異なるリード角を螺旋方向に有する複数の雄側螺状突部を形成したものが開示されている。
非特許文献１には、歯科材料を収容するシリンジと、蓋部材を外したシリンジ開口部よりペースト状の歯科材料を取り出し具によって取り出している様子が開示されている。
【先行技術文献】
【特許文献】
【０００４】
【特許文献１】特開２０００−３２５３６２号公報
【特許文献２】特開２００４−１２５０６９号公報
【非特許文献】
【０００５】
【非特許文献１】高橋英登・松井信人編  「ハイブリッドセラミックス  メタルフリー修復の臨床と歯科技工」  医歯薬出版株式会社  ２００６年  １５５頁
【発明の概要】
【発明が解決しようとする課題】
【０００６】
歯科材料は、外部からの異物混入の抑制や、漏れを防ぐため、密閉性を必要とする。また、歯科材料は、光などによって変性するものが多く、通常は、歯科材料が取り出されたあとは、その都度蓋部材５３によって開口５９が閉塞され、１日に何度も蓋部材５３の開閉が行われるので、その作業性の良さが求められる。
しかしながら、上述したように、歯科用の容器は密閉性を必要とし、一般に密閉性と開閉性は必ずしも両立しない。例えば、密閉性を良くするため、蓋部材５３と容器の開口５９部との接続部分を長くする方法がとられる。すると、蓋部材５３の内周面と容器本体５４の先端外周面はほぼ同径であるので、図８のＡに示すように開放状態にあった開口５９が、図８のＢに示すように、蓋部材５３のほぼ容積分に相当する空気が容器本体５４内に入り込むことになる。これによって、容器本体５４内の空間部分の内圧が上昇し、内部に収容されている歯科材料に悪影響を及ぼすことがある。歯科材料が粘性のある材料であるような場合は、粘性材料が内圧によって押圧されることによって、収容される先端部分が固くなり、押出しの操作性や取り出したペーストの操作性を低下させる。また、該収容される粘性材料の先端表面では液の染み出しが生じることがある。この液の染み出しによって、組成部の割合の変動が生じたり内容物が変化、変性したりすることがある。
なお、現在使用されている蓋部材のサイズの一例として、奥行き深さが１０ｍｍ、口径が８．５ｍｍのものが使用され、奥行き深さ／口径の比は、１．２程度のものが使用されている。
【０００７】
本発明は、このような事情に鑑みてなされたものであって、開閉しやすく、密閉性に優れ、なおかつ蓋部材が閉じ状態にあるとき、容器本体内の内圧の上昇を抑制することが可能な歯科材料用シリンジを提供することを目的とする。
【課題を解決するための手段】
【０００８】
本発明の歯科材料用シリンジは、上記目的を達成するために、粘性材料を収容し押出しするためのシリンダ状の容器本体を備え、該容器本体の先端開口部を閉塞する蓋部材が天面壁と該天面壁の周囲から下方に延びる周壁とを備え、前記蓋部材が装着される容器本体への装着部には、該容器本体を縮径する段差面と前記蓋部材の内周面が嵌合する装着面とを形成し、前記蓋部材の閉塞時には該蓋部材の周壁の下端面が前記段差面と当接する歯科材料用シリンジにおいて、前記蓋部材の内周面が前記装着面に接触する当接部に、前記周壁の下端面側から蓋部材の軸方向へ向かって、天面壁側へ延びる溝を形成した。
また、本発明の歯科材料用シリンジは、上記目的を達成するために、粘性材料を収容し押出しするためのシリンダ状の容器本体を備え、該容器本体の先端開口部を閉塞する蓋部材が天面壁と該天面壁の周囲から下方に延びる周壁とを備え、前記蓋部材が装着される容器本体への装着部には、該容器本体を縮径する段差面と前記蓋部材の内周面が嵌合する装着面とを形成し、前記蓋部材の閉塞時には該蓋部材の周壁の下端面が前記段差面と当接する歯科材料用シリンジにおいて、前記蓋部材の内周面が接触する前記装着面の部分に、前記段差面側の一端部から前記容器本体の軸方向へ向かって、前記装着面の他端側端部まで延びる溝を形成した。
上記歯科材料用シリンジは、前記装着面当接部又は装着面に形成した前記溝から該装着面当接部又は装着面の周方向へ間隔を空けて１以上の溝を形成することができる。
【発明の効果】
【０００９】
本発明の歯科材料用シリンジにおいて、粘性材料を収容し押出しするためのシリンダ状の容器本体を備え、該容器本体の先端開口部を閉塞する蓋部材が天面壁と該天面壁の周囲から下方に延びる周壁とを備え、前記蓋部材が装着される容器本体への装着部には、該容器本体を縮径する段差面と前記蓋部材の内周面が嵌合する装着面とを形成し、前記蓋部材の閉塞時には該蓋部材の周壁の下端面が前記段差面と当接する歯科材料用シリンジにおいて、前記蓋部材の内周面が前記装着面に当接する部分に、前記周壁の下端面側の一端部から蓋部材の軸方向へ向かって、天面壁側へ延びる溝を形成し、又は（及び）前記蓋部材の内周面が当接する前記装着面の部分に、前記段差面側一端部から前記容器本体の軸方向へ向かって、前記装着面の他端側端部まで延びる溝を形成したので、蓋部材を容器本体の装着部に装着する際に、溝を介して蓋部材の内部の空間から空気が抜け、蓋部材の装着時に内部空間の圧力の向上を図ることができる。したがって、内容物である歯科材料が内圧によって変性することを防止できる。また、蓋部材の下端面と段差面とが当接するので気密性を維持することができる。
また、上記歯科材料用シリンジは、前記溝を複数形成することによって、容器本体に蓋部材を被せるときに、蓋部材を傾けて装着したような場合に、１つの溝を塞いでしまっても、他の溝によって内部の空気を確実に抜くことができる。
【図面の簡単な説明】
【００１０】
【図１】本発明の第１の実施形態におけるシリンジの斜視図である。
【図２】図１のシリンジを側面方向から見た断面図である。
【図３】図１のシリンジの先端部であって、容器本体の装着部から蓋部材を外した状態の側面方向から見た断面図である。
【図４】Ａは図１のシリンジの蓋部材を側面方向から見た断面図、Ｂは底面図である。
【図５】本発明の第２の実施形態におけるシリンジの蓋部材であって、Ａは蓋部材を側面方向から見た断面図、Ｂは底面図である。
【図６】本発明の第３の実施形態におけるシリンジの蓋部材の底面図である。
【図７】Ａは、従来のシリンジの先端部に蓋部材が被らされていない状態の断面図、Ｂはシリンジの先端部に蓋部材が被らされている状態の断面図である。
【発明を実施するための形態】
【００１１】
図１は、本発明の実施形態に歯科材料を収容するシリンジの斜視図であり、図２は、シリンジの容器本体を側面方向から見た断面図である。なお、本明細書では、図２の右側は容器本体の先端側とし左側を基端側とする。
シリンジ１は、容器２と蓋部材３とからなり、容器２は、容器本体４、押出ネジ５、ナット６及び押出部材７とからなる。
本実施形態では、容器本体４は合成樹脂で形成されている円形の筒状部材であり、基端側（ナット６と連結されている側）から先端側に向けて同一断面形状であり、先端部には蓋部材３の装着部８を形成している。
【００１２】
図３及び図４に示すように、装着部８は容器本体４の基本面４ａから半径方向内側に縮径した部分に形成され、段差面８ａと蓋部材３を嵌合する装着面８ｂとから形成されている。段差面８ａは、円環状の平面を有し、容器本体４の軸方向先端側に面を向けている。装着面８ｂは断面が円形で容器本体４の基本面４ａと同心円状の装着部８の外周面であり、この装着面８ｂに蓋部材３の内周面が接触して嵌合する。
装着部８のさらに先端側には、吐出部１４が形成され、吐出部１４は装着部８の半径方向内側に縮径して先端側に突出させたノズル１４ａを形成し、その先端部には円錐台形状のテーパ部が形成され、その端部に吐出開口１４ｂが設けられている。吐出部１４の大きさは、一般に口径が５．０ｍｍ〜１０．０ｍｍのものが使用されている。
容器本体４の内径は、ほぼ同一径であり、装着部８にて縮径されている（図示せず）。
【００１３】
図１及び図２を参照にして、容器本体４の基端側には、容器本体４の外径よりも大きなナット６が連結されている。ナット６の内周壁には図示しない雌ネジが形成されており、容器本体４の内周部には、貫通孔としての内孔９が形成され、この内孔９はナット６の内孔と連続している。ナット６には、押出ネジ５の雄ネジ１２が螺着している。
押出ネジ５は、基端側にほぼ平板形状の把持部１１が形成され、把持部１１には、上述したボルト形状の雄ネジ１２が形成されている。また、雄ネジ１２の先端側は、容器本体４の内孔９まで突出し、その先端部には押出部材７が連結されている。
押出部材７は、雄ネジ１２を回転させることによって、内孔９の内周部を軸方向へ進退移動させることが可能である。押出部材７は、円柱形状に形成され、押出部材７の外径は、内孔９の内径にほぼ等しく形成されている。その結果、押出部材７は内孔９の内周面を隙間無く摺動できる。
【００１４】
図３及び図４を参照にして、蓋部材３は、本実施形態では合成樹脂で形成され、形状は有底円筒形であり、円板状の天面壁２０と該天面壁の外周から下方に延びる周壁２１とによって形成されている。本実施形態では、周壁２１の外周面は上方側から下方に拡径し、内周面もまた同様に上方側から下方へ向かって拡径し、下端部では容器本体４の装着面８ｂと嵌合する当接面２１ａを形成している。
当接面２１ａと装着面８ｂとの接触部は密接状態に接し、蓋部材３の弾性力で密接させたり、摩擦係合などで密接させてもよい。
【００１５】
蓋部材３の周壁２１の当接面２１ａには、空気の抜き溝２２が形成されている。抜き溝２２は、周壁２１の下端面２１ｂから上方へ延びて形成され、本実施形態では、蓋部材３の装着部８への装着時において、装着面８ｂの高さと同じか、高さを超える程度の長さにわたって形成されている。
具体的な抜き溝２２の形状は、蓋部材３の下端面２１ｂ側における内周部の長さπＤ（Ｄが内周部の内径）を１００％とした場合に、抜き溝２２の周方向長さＬ１は、０．３％〜５．０％πＤ（πは円周率）の範囲が好ましく、０．５％〜４．５％πＤの範囲がより好ましい。抜き溝２２の深さＬ２は、蓋部材３の当接面２１ａ部における肉厚ｔの１０〜５０％ｔが好ましく、１５〜４５％ｔがより好ましい（図４）。抜き溝２２の軸方向長さＬ３は、装着面８ｂの高さをＨとした場合、１００〜２００％Ｈの範囲が好ましい（図３）。
また、蓋部材３の内径Ｄと装着面８ｂの高さＨの関係は、Ｈ／Ｄは、０．１０〜０．５０である（図３，図４）。
このような条件を必要とするのは、蓋部材３の一般的な材料（ポリプロピレンなどのポリオレフィン）では抜き溝２２の深さを大きくしたり、長くすると蓋部材３の弱化が生じたり、蓋部材３の閉塞時における係止力の強弱に悪い影響を及ぼすからである。なお、蓋部材３を装着部８に被せた際における、蓋部材内部の空気の排出性を十分にする観点からは、該抜き溝２２の容積Ｖは蓋部材の内容積ｃＶに対して０．００５％以上あるのが、好ましく０．０１％以上あるのがより好ましい。
【００１６】
シリンジ１の容器本体４の内部に配設されている歯科材料は、ペーストなどの粘性のある材料、具体的には、液状成分と固形分とからなり、圧力がかかると液分離するペースト、例えば、（メタ）アクリレート系重合性単量体などの液状モノマーと無機充填材とからなる硬化性ペーストであるコンポジットレジンなどを収容することができる。本発明の効果をより顕著に発揮させる観点から好適には、歯科材料の２３℃における粘度は１０Pa・S〜１×１０７Pa・Sである。なお、粘度は、一般にレオメーターと呼ばれる動的粘弾性測定装置を用いて測定される。ここではレオメーターの測定条件として、ジオメトリーは直径２０ｍｍパラレルプレートを使用し、ギャップ幅１．００ｍｍ、測定温度２３℃、周波数０．１Ｈｚ、定常応力１０００Ｐａで試験を行い、測定開始より１２０秒後の粘度を求めた。
なお、蓋部材３、容器本体４及び押出部材７の材質は、容器本体４に収容する歯科材料に影響のない材質によって形成する必要がある。
【００１７】
本実施形態におけるシリンジ１は、使用時に歯科医師等が蓋部材３を外すときは、蓋部材３をシリンジ１の軸方向へ引き抜くことによって開放する。
容器本体４から蓋部材３を外した後は、容器本体４の吐出開口１４ｂから歯科材料を図示しないインストルメントなどで取り出すことができる。歯科材料が容器本体４の開口から深い位置にあるような場合は、把持部１１で掴み押出ネジ５を回転させて、歯科材料を吐出開口１４ｂの付近まで上昇させればよい。患者の治療が終了した後は、蓋部材３を装着部８に被せて開口１４を閉塞する。
【００１８】
蓋部材３は装着部８に被せられたときに、容器本体４の吐出部１４が蓋部材３の内部に差し込まれる際に、蓋部材３の内部空間が狭くなり、内部から外部に空気が排出される。蓋部材３の当接面２１ａが容器本体４の装着面８ｂに接触する前は、蓋部材３と容器本体４との間に隙間があるので空気の流通は問題ない。それらの当接面２１ａと装着面８ｂとが接触した後は、それらの隙間が閉塞される。しかしながら、当接面２１ａには抜き溝２２が形成されているので、蓋部材３をさらに装着部８に押し込んでも、蓋部材３の内部の空気は、蓋部材３の内部から抜き溝２２を通り、図３の矢視Ｘの円内に示すように、空気ａが外部へ排気される。したがって、蓋部材３の閉塞時に蓋部材３の内部圧力の上昇を抑止できる。
蓋部材３を装着部８に押し込んだ後は、蓋部材３の下端面２１ｂが装着部８の段差面８ａと密着して、空気の気密性が維持できる。
【００１９】
以上のように本実施形態では、こうして残留空気による内圧を低くし、容器本体４の内部に収容されている歯科材料が残留空気による内圧の負荷を抑制できる。歯科材料が粘性のある材料であるような場合は、粘性材料が内圧の負荷よって先端部分が固化したり、該先端表面に液が染み出すことが抑制され、内容物の変質や、液の染み出しによる変性を防止できる。
また、蓋部材３を装着部８に装着した後は、蓋部材３の下端面２１ｂが装着部８の段差面８ａと密着によって、外部からの異物混入の抑制や、歯科材料の漏れを防ぐことができる。
【００２０】
次に、本発明の第２の実施形態による歯科材料用シリンジについて、図５を参照にして説明する。なお、上記実施形態と同じ構成については同一の符合を付して説明する。また、本実施形態では、上記第１の実施形態に対して蓋部材３が異なり、容器本体４については変更がないので、詳細な説明を省略する。
図５に示すように、本実施形態では、蓋部材３の当接面２１ａに空気の抜き溝２３を２個所に形成した。抜き溝２３の個数は３以上であってもよく、近接した部分に集中して設けるよりも、周方向へ等間隔に設けることが好ましく、同じ形状とすることが好ましい。
このように前記抜き溝２２から蓋部材の内周面の周方向へ間隔を空けて１以上の溝を形成した場合において、個々の抜き溝の周方向長さＬ１は、前記抜き溝を１本設けた時と同様に、蓋部材３の下端面２１ｂ側における内周部の長さπＤ（Ｄが内周部の内径）を１００％とした場合に対して０．３％πＤ以上が好ましく、０．５％πＤ以上であるのがより好ましい。他方、各抜き溝の周方向長さＬ１の合計長さが、該内周部の長さπＤに対して、５．０％πＤ以下が好ましく、４．５％πＤ以下であるのがより好ましい。さらに、個々の抜き溝の容積Ｖは、蓋部材の内容積ｃＶに対して０．００５％以上あるのが、好ましく０．０１％以上あるのがより好ましい。なお、個々の抜き溝２２の深さＬ２は、前記抜き溝を１本設けた時と同様に、蓋部材３の当接面２１ａ部における肉厚ｔの１０〜５０％ｔが好ましく、１５〜４５％ｔがより好ましい。
【００２１】
本実施形態では、上記第１の実施形態と同様に、容器本体４の内部に収容されている歯科材料が残留空気による内圧の負荷を抑制し、粘性材料の内圧の負荷よって先端部分が固化したり、該先端表面に液が染み出すことが抑制され、内容物の変質や、液の染み出しによる変性を防止でき、蓋部材３の下端面２１ｂが装着部８の段差面８ａと密着し、外部からの異物混入の抑制や、歯科材料の漏れを防ぐ。
本実施形態では、さらに、蓋部材３の抜き溝２３の部分を段差面８ａに当接させながら蓋部材３を斜めにして取付けられようとした場合、抜き溝２３が段差面８ａに閉塞されて、抜き溝２３の機能が失われるが、他の抜き溝２３側から空気が抜けるので、蓋部材３の内部圧力の上昇を抑制できる。
【００２２】
次に、本発明の第３の実施形態による歯科材料用シリンジについて、図６を参照にして説明する。なお、上記第１の実施形態と同じ構成については同一の符合を付して説明し、その詳細な説明を省略する。
本実施形態では、蓋部材３の当接面２１ａに形成した空気の抜き溝２２，２３が形成されておらず、装着部８の装着面８ｂに空気の抜き溝２４が形成されている。すなわち、図６に示すように、容器本体４の装着部８には、蓋部材３の当接面２１ａと接触する部分に、段差面８ａから装着面８ｂの上端部まで延びる空気の抜き溝２４を形成している。抜き溝２４の数は複数形成してもよく、抜き溝２４の形状については、１個所に形成する場合は、上記第１の実施形態と同様に形成し、複数の場合は第２の実施形態と同様に形成する。
【００２３】
蓋部材３は装着部８に被せられ、当接面２１ａと装着面８ｂとが接触した後に、当接面２１ａには抜き溝２４が形成されているので、蓋部材３をさらに装着部８に押し込んでも、蓋部材３の内部の空気は、蓋部材３の内部から抜き溝２４を通り外部へ排気される。
したがって、上記第１の実施形態と同様に、容器本体４の内部に収容されている歯科材料が残留空気による内圧の負荷を抑制し、粘性材料の内圧の負荷よって生じる液の染み出しによる内容物の変質や、液の染み出しによる変性を防止でき、蓋部材３の下端面２１ｂが装着部８の段差面８ａとの密着によって、外部からの異物混入の抑制や、歯科材料の漏れを防ぐことができる。
【実施例】
【００２４】
次に、本発明の実施例について説明する。
［実施例１〜６，比較例１］
歯科材料の保存安定性を調べるために週単位毎の保存期間と、蓋部材の開閉性（キャップ性）を調べた。
試料として、
容器本体の排出開口の径：４ｍｍ
装着部の嵌合部の高さＨ：２ｍｍ
蓋部材の下端面側における内周部の内径：８ｍｍ
装着部の嵌合部の高さ（Ｈ）／蓋部材の内径（Ｄ）：０．２５
蓋部材の内容積：４６０ｍｍ３
を条件とし、以下の表１に示す溝幅、溝の容積を有する蓋部材を種々準備（実施例１〜６）し、抜き溝を形成しない蓋部材（比較例１）を有するシリンジを用意した。それぞれの蓋部材のシリンジへの装着は、蓋部材の抜き溝の部分が、シリンジの装着部における段差面に当接しないよう、蓋部材の軸方向に沿って装着部に押し込まれる態様で各実施した。
【００２５】
［保存安定性の評価］
保存安定性を評価するために、市販の歯科材料用の光重合型コンポジットレジン（エステライトΣ，シェード；Ａ３，粘度；２２００Ｐａｓ（２３℃）、トクヤマデンタル社製）が填入されたシリンジを用いた。このペースト材（粘性材料）をシリンジに填入された状態で３０℃に設定したインキュベーター内に保管し、一定期間毎に蓋部材を外しペーストの状態を目視で判定を行った。
判定結果は以下に示した２段階で評価を行った。
○：液の滲みがなく均一なペースト性状を有している。
×：ペーストの表面に液が滲み出ている。
結果を表１に示す
【００２６】
【表１】
2010162111.tif 000003
【００２７】
［キャップ性の評価］
キャップ性の評価に用いた歯科用材料は、市販の光重合型コンポジットレジン（エステライトΣ，シェード；Ａ３，粘度；２２００Ｐａｓ（２３℃）、トクヤマデンタル社製）填入されたシリンジを用いた。このシリンジ内にペースト量が２ｍｌ填入し、シリンジを水平状態に保ち、５０ｃｍの高さから落下させた状態の結果によって、蓋部材の外れ易さについて評価した。
判定結果は以下に示した３段階で評価した。
◎：５回繰り返しても外れない。
○：３回繰り返した時に外れる
×：１回目で外れる。
結果を上記表１に示す。
【００２８】
試験の結果から、保存安定性に関し、空気の抜き溝は体積が大きければ、液の滲みが少ないことが確認できた。また、キャップ性に関し、溝の体積が小さければ、キャップの外れが少ないことが確認できた。
すなわち、実施例１のように、溝幅が小さい場合は、長期間保存後において、液の滲み出しが起こることが分かるが、抜き溝を形成していない比較例１と比べれば、ペーストの保存安定性は良好である。
実施例６のように、溝の幅（周方向長さ）を大きくした場合、保存安定性は良好であるが、溝の幅を大きくするとキャップが外れやすくなるのが確認できた。実施例２〜５のように、適切なサイズの抜き溝を形成した蓋部材を用いた場合、液の滲み出す現象が無く、ペーストの保存安定性が良好であることが分かった。
【００２９】
［実施例７］
まず、実施例３において、蓋部材のシリンジへの装着を、蓋部材の抜き溝の部分が、シリンジの装着部における段差面に当接され閉塞されるように、蓋部材を斜めにして実施する態様で同様に実施した。その結果は、上記保存安定性の評価が比較例１と同じく、１２週目でペーストの表面に液の滲み出しが確認され×であった。
これに対して、以下の表２に示す溝幅、溝の容積の抜き溝を、当接面の周方向に等間隔になる様に対向させて２本形成した蓋部材を準備し、該蓋部材のシリンジへの装着を、蓋部材の抜き溝の１本が、シリンジの装着部における段差面に当接され閉塞されるように、蓋部材を斜めにして実施する態様で、同様に実施した。その結果は、蓋部材の装着時に、１本の抜き溝は上記の如くに閉塞されているものの、これに対向する当接面反対側の抜き溝が開口しているため、ここから空気が抜け、保存安定性の評価は実施例３と同じく３２週目に至っても液の滲みがなく均一なペースト性状であり○であった。
【００３０】
【表２】
2010162111.tif 000004
【００３１】
［実施例８］
実施例３において、蓋部材に設けていた抜き溝を、同じ形状でシリンジの装着部の装着面に形成する以外同様に実施した。その結果は、その結果は、実施例３と同じく保存安定性の評価もキャップ性の評価も優れたものであった。
【００３２】
【表３】
2010162111.tif 000005
【００３３】
以上、本発明を実施形態に基づいて添付図面を参照しながら詳細に説明したが、本発明は上記実施形態に限定されるものではなく、本発明の範囲を逸脱することなく、更に他の変形あるいは変更が可能である。
例えば、上記実施形態では、容器本体４の段差面８ａと蓋部材３の下端面２１ｂと直接密着させたが、段差面８ａにパッキンを配設し、さらに気密性を保持するようにしてもよい。
【符号の説明】
【００３４】
１  シリンジ
２  容器
３  蓋部材
４  容器本体
５  押出ネジ
８  装着部
８ａ  段差面
８ｂ  装着面
２１  周壁
２１ａ  当接面
２２〜２４  抜き溝（溝）
２１ｂ  下端面
【図１】
2010162111.tif 000006
【図２】
2010162111.tif 000007
【図３】
2010162111.tif 000008
【図４】
2010162111.tif 000009
【図５】
2010162111.tif 000010
【図６】
2010162111.tif 000011
【図７】
2010162111.tif 000012